(57)【要約】【課題】情報処理装置に格納された情報をユーザー端末へ送信する際のパフォーマンスを向上させることが可能な情報処理装置を提供する。【解決手段】情報処理装置は、画像データを取得する取得手段と、取得した画像データを保存するための記憶手段と、ネットワークを介して所定の外部端末との間で通信処理を実行する通信手段と、指示に従って取得手段で取得した画像データを記憶手段に保存する保存手段とを備える。保存手段は、所定の外部端末との間での通信処理が実行されている場合には、取得した画像データを非圧縮で記憶手段に保存し、所定の外部端末との間で通信処理が実行されていない場合には、取得した画像データを圧縮して記憶手段に保存する。【選択図】図４
2013150241.tif 000002
【特許請求の範囲】
【請求項１】
画像データを取得する取得手段と、
取得した画像データを保存するための記憶手段と、
ネットワークを介して所定の外部端末との間で通信処理を実行する通信手段と、
指示に従って前記取得手段で取得した前記画像データを前記記憶手段に保存する保存手段とを備え、
前記保存手段は、前記所定の外部端末との間での通信処理が実行されている場合には、前記取得した画像データを非圧縮で前記記憶手段に保存し、前記所定の外部端末との間で通信処理が実行されていない場合には、前記取得した画像データを圧縮して前記記憶手段に保存する、情報処理装置。
【請求項２】
前記保存手段は、前記所定の外部端末からアクセスするユーザーと、指示するユーザーとが同じであるか否かを判断し、同じであると判断した場合に前記取得した画像データを非圧縮で前記記憶手段に保存する、請求項１記載の情報処理装置。
【請求項３】
前記保存手段は、前記指示が前記所定の外部端末からアクセスするユーザーに対応付けられた領域に前記画像データを保存する指示であるか否かを判断し、当該指示であると判断した場合に前記画像データを非圧縮で前記記憶手段に保存する、請求項１記載の情報処理装置。
【請求項４】
画像データを保存するための記憶手段を設けた情報処理装置の制御方法であって、
画像データを取得するステップと、
ネットワークを介して所定の外部端末との間で通信処理を実行するステップと、
指示に従って取得した前記画像データを前記記憶手段に保存するステップとを備え、
前記保存するステップは、
前記所定の外部端末との間での通信処理が実行されている場合には、前記取得した画像データを非圧縮で前記記憶手段に保存するステップと、
前記所定の外部端末との間で通信処理が実行されていない場合には、前記取得した画像データを圧縮して前記記憶手段に保存するステップとを含む、情報処理装置の制御方法。
【請求項５】
画像データを保存するための記憶手段を設けた情報処理装置のコンピュータに実行させる制御プログラムであって、
前記制御プログラムは、前記コンピュータに、
画像データを取得するステップと、
ネットワークを介して所定の外部端末との間で通信処理を実行するステップと、
指示に従って取得した前記画像データを前記記憶手段に保存するステップとを備え、
前記保存するステップは、
前記所定の外部端末との間での通信処理が実行されている場合には、前記取得した画像データを非圧縮で前記記憶手段に保存するステップと、
前記所定の外部端末との間で通信処理が実行されていない場合には、前記取得した画像データを圧縮して前記記憶手段に保存するステップとを含む、処理を実行させる情報処理装置の制御プログラム。
【発明の詳細な説明】
【技術分野】
【０００１】
本発明は、情報処理装置に関し、ネットワークで外部装置と接続された情報処理装置に関する。
【背景技術】
【０００２】
近年、ユーザーが操作するユーザー端末からネットワークを介して接続された複写機、プリンター等の情報処理装置をリモート操作することができるシステムが考案されている。また、ユーザー端末と連携して各種のアプリケーションを実行する情報処理装置が種々提案されている（特許文献１〜３）。
【先行技術文献】
【特許文献】
【０００３】
【特許文献１】特開２００４−９０２４３号公報
【特許文献２】特開２００６−３０３８０５号公報
【特許文献３】特開２０１０−９３４７３号公報
【発明の概要】
【発明が解決しようとする課題】
【０００４】
一方で、情報処理装置側では格納領域における記憶容量の関係から一般的に情報を圧縮して格納する場合が多く、ユーザー端末側へ情報を送信する際、圧縮されたデータを解凍して送信する処理が一般的に実行されていたため情報をユーザー端末へ送信する際のパフォーマンスが遅いという問題があった。
【０００５】
本発明は、上記のような問題を解決するためになされたものであって、情報処理装置に格納された情報をユーザー端末へ送信する際のパフォーマンスを向上させることが可能な情報処理装置を提供することを目的とする。
【課題を解決するための手段】
【０００６】
本発明のある局面に従う情報処理装置は、画像データを取得する取得手段と、取得した画像データを保存するための記憶手段と、ネットワークを介して所定の外部端末との間で通信処理を実行する通信手段と、指示に従って取得手段で取得した画像データを記憶手段に保存する保存手段とを備える。保存手段は、所定の外部端末との間での通信処理が実行されている場合には、取得した画像データを非圧縮で記憶手段に保存し、所定の外部端末との間で通信処理が実行されていない場合には、取得した画像データを圧縮して記憶手段に保存する。
【０００７】
好ましくは、保存手段は、所定の外部端末からアクセスするユーザーと、指示するユーザーとが同じであるか否かを判断し、同じであると判断した場合に取得した画像データを非圧縮で記憶手段に保存する。
【０００８】
好ましくは、保存手段は、指示が所定の外部端末からアクセスするユーザーに対応付けられた領域に画像データを保存する指示であるか否かを判断し、当該指示であると判断した場合に画像データを非圧縮で記憶手段に保存する。
【０００９】
本発明のある局面に従う情報処理装置の制御方法は、画像データを保存するための記憶手段を設けた情報処理装置の制御方法であって、画像データを取得するステップと、ネットワークを介して所定の外部端末との間で通信処理を実行するステップと、指示に従って取得した画像データを記憶手段に保存するステップとを備える。保存するステップは、所定の外部端末との間での通信処理が実行されている場合には、取得した画像データを非圧縮で記憶手段に保存するステップと、所定の外部端末との間で通信処理が実行されていない場合には、取得した画像データを圧縮して記憶手段に保存するステップとを含む。
【００１０】
本発明のある局面に従う情報処理装置の制御プログラムは、画像データを保存するための記憶手段を設けた情報処理装置のコンピュータに実行させる制御プログラムであって、制御プログラムは、コンピュータに、画像データを取得するステップと、ネットワークを介して所定の外部端末との間で通信処理を実行するステップと、指示に従って取得した画像データを記憶手段に保存するステップとを備える。保存するステップは、所定の外部端末との間での通信処理が実行されている場合には、取得した画像データを非圧縮で記憶手段に保存するステップと、所定の外部端末との間で通信処理が実行されていない場合には、取得した画像データを圧縮して記憶手段に保存するステップとを含む。
【発明の効果】
【００１１】
情報処理装置に格納された情報をユーザー端末へ送信する際のパフォーマンスを向上させることができる。
【図面の簡単な説明】
【００１２】
【図１】本発明の実施の形態に従う画像形成装置１０の内部構成を説明する図である。
【図２】本発明の実施の形態に従う画像形成装置１０の機能ブロック図を説明する図である。
【図３】本発明の実施の形態に従うログイン管理ＤＢの例を説明する図である。
【図４】本発明の実施の形態に従うボックス保存の指示に対する処理について説明するフロー図である。
【図５】本発明の実施の形態の変形例１に従うボックス保存の指示に対する処理について説明するフロー図である。
【図６】本発明の実施の形態の変形例２に従うボックス保存の指示に対する処理について説明するフロー図である。
【発明を実施するための形態】
【００１３】
以下に図面を参照しつつ本発明の実施の形態について説明する。以下の説明においては同一の部品および構成要素には同一の符号を付してある。それらの名称および機能も同一であるものとする。本例においては、情報処理装置の一例として画像形成装置について説明する。
【００１４】
図１は、本発明の実施の形態に従う画像形成装置１０の内部構成を説明する図である。
図１を参照して、本発明の実施の形態に従う画像形成装置１０は、ＣＰＵ（Central  Processing  Unit）１００と、記憶部１１０と、通信Ｉ／Ｆ（Interface）１２０と、Ｆａｘ１７０と、操作パネル１６０と、プリンター１３０と、スキャナー１４０と、ＡＤＦ（Auto Document Feeder）１５０とを含む。
【００１５】
記憶部１１０は、ＲＯＭ（Read Only Memory）１１２と、ＲＡＭ（Random Access Memory）１１４と、ＨＤＤ（Hard Disk Drive）１１６とを含む。
【００１６】
画像形成装置１０の全体制御を司るＣＰＵ１０２は、ＲＯＭ１０４、ＲＡＭ１０６あるいはＨＤＤ１０８等の記憶部１１０に予め格納されたプログラム等を読出して実行することで各種処理を実行する。本発明の実施の形態に従う処理についても同様である。
【００１７】
通信Ｉ／Ｆ１２０は、外部のネットワークと接続されており、情報処理端末（外部端末）等からの情報を受信したり、あるいは、必要な情報を送信したりする。
【００１８】
操作パネル１６０は、各種の情報表示画面や設定画面をユーザーに対して表示する機能と、ユーザーによる操作入力を受け付ける機能とを含んだ装置であり、代表的に、その表面にタッチパネルを搭載した液晶パネルなどから構成される。
【００１９】
スキャナー１４０は、イメージ読取機能を実現するための部位であり、原稿を読取ってイメージデータ（画像データ）を生成する。
【００２０】
ＡＤＦ１５０は、載荷台にセットされた原稿をスキャナー１４０に自動的に１枚ずつ搬送する部位である。
【００２１】
プリンター１３０は、例えば、スキャナー１４０で読取られたイメージデータ、あるいは外部の情報処理端末から送信されるプリントデータに必要に応じて所定の画像処理を施して、印字に適した印字データを作成し、用紙へのイメージの印字処理（プリント処理）を行なう。
【００２２】
Ｆａｘ１７０は、ファクシミリ機能を実現するための部位であり、電話回線（図示しない）を介して、例えば、スキャナー１４０で読取られたイメージデータをユーザーの指定する宛先へ送信する。
【００２３】
図２は、本発明の実施の形態に従う画像形成装置１０の機能ブロック図を説明する図である。
【００２４】
図２を参照して、画像形成装置１０は、操作パネル１６０を介してユーザー等からの入力を受け付ける入力部１２と、画像形成装置１０全体を制御するための全体制御部１４と、認証処理を実行するための認証部１６と、外部のネットワーク４０を介して外部端末５０との間で通信接続等の制御を実行するための通信制御部１８と、画像形成装置１０における各種の機能を制御する機能部３０と、記憶部１１０とを含む。ここでは、記憶部１１０は、一例として、ボックス保存するための記憶領域として設けられているボックス２２と、ログイン状態を管理するためのデータベースであるログイン管理ＤＢ（データベース）２０とを含む。
【００２５】
機能部３０は、プリンター１３０を制御してプリント処理を実行するコピー処理部３２と、スキャン処理あるいはファクシミリ送信等を実行するスキャン／ファックス処理部３４と、ボックス２２にアクセスしてボックス保存、ボックス読出等のデータ書込および読出等の処理を実行するボックス処理部３６とを含む。また、ボックス処理部３６は、必要に応じてデータを圧縮してボックス２２に保存したり、あるいは、圧縮されているデータを解凍してボックスから読み出したりするものとする。
【００２６】
認証部１６は、認証処理が成功した場合には、ログイン管理ＤＢ２０に登録する。当該ログイン管理ＤＢ２０の情報を取得することによりどのユーザーがログイン等を実行しているかを把握することが可能である。また、認証処理が成功した場合に当該画像形成装置１０の機能を利用することが可能である。したがって、ジョブを実行する場合には、当該ジョブを実行したユーザーを特定することが可能である。
【００２７】
本例においては、外部端末からリモートで画像形成装置１０にアクセス可能に構成されており、複数のユーザーがアクセスする場合には、ログイン管理ＤＢ２０にログイン中の複数のユーザーが登録されることになる。また、画像形成装置１０の操作パネルから認証処理を実行してログインを実行することも可能なように構成されている。
【００２８】
図３は、本発明の実施の形態に従うログイン管理ＤＢの例を説明する図である。
図３を参照して、ここでは、複数のユーザーに関する情報が登録されている。すなわち、ユーザーＡ、Ｂ、Ｃがそれぞれログイン中であるとして登録されている場合が示されている。それぞれのユーザーに対しては、セッションＩＤが割り当てられており、固有ＩＤとして当該セッションＩＤを用いた情報のやり取りがされるため操作あるいは指示が混乱することがないように設定されている。
【００２９】
図４は、本発明の実施の形態に従うボックス保存の指示に対する処理について説明するフロー図である。
【００３０】
図４を参照して、まず、文書データのボックス保存の要求があるかどうかを判断する（ステップＳ２）。具体的には、例えば、スキャントゥボックス（Scan to Box）や、プリントトゥボックス（Print to Box）のジョブの実行の指示があるかどうかを判断する。スキャントゥボックス（Scan to Box）とは、原稿をスキャンして取得した画像データ（文書データ）をボックスに保存するジョブである。プリントトゥボックス（Print to Box）とは、画像データ（文書データ）を取得してプリント処理するとともに、当該取得した画像データをボックスに保存するジョブである。なお、ジョブはこれに限られず、ボックス保存する要求が含まれているジョブであればどのようなものでも良い。
【００３１】
文書データのボックス保存の要求があると判断した場合（ステップＳ２においてＹＥＳ）には、次に、ログイン管理ＤＢからログイン情報を取得する（ステップＳ４）。具体的には、図３で説明したログイン管理ＤＢの情報を取得する。
【００３２】
次に、外部端末がログイン中であるかどうかを判断する（ステップＳ６）。画像形成装置１０の操作パネル以外から認証処理を実行したユーザーについては外部端末からアクセスしてログインしていると判断することが可能である。また、複数のユーザーが登録されている場合には、リモートで外部からアクセスしている場合と想定されるため外部端末がログイン中であると判断することも可能である。
【００３３】
ステップＳ６において外部端末がログイン中であると判断した場合（ステップＳ６においてＹＥＳ）には、非圧縮でボックスに保存する（ステップＳ８）。ボックス処理部３６は、取得した画像データを圧縮することなくボックス２２に保存する。
【００３４】
一方、ステップＳ６において、外部端末がログイン中でないと判断した場合（ステップＳ６においてＮＯ）には、圧縮でボックスに保存する（ステップＳ１０）。ボックス処理部３６は、取得した画像データを圧縮してボックス２２に保存する。
【００３５】
そして、処理を終了する（エンド）。
当該処理により、外部端末がログイン中の場合にはボックス保存が含まれているジョブを実行する場合には、非圧縮でボックスに保存する。従って、ボックス保存されたデータが非圧縮で保存されるため、外部端末からボックスにアクセスして、保存されたデータをダウンロードする際には、非圧縮で保存されているため解凍する必要が無く、ボックスに格納されたデータを外部端末へ送信する際のパフォーマンスを向上させることが可能である。
【００３６】
一方、外部端末がログイン中でない場合にはボックス保存が含まれているジョブを実行する場合には、圧縮でボックスに保存する。外部端末がログイン中でないため、外部端末からボックスにすぐにアクセスして、保存されたデータをダウンロードする場合が想定し難いため圧縮で保存することによりボックス２２の空き容量の減少を抑制しながら効率的に保存することが可能である。
【００３７】
（変形例１）
図５は、本発明の実施の形態の変形例１に従うボックス保存の指示に対する処理について説明するフロー図である。
【００３８】
図５を参照して、まず、文書データのボックス保存の要求があるかどうかを判断する（ステップＳ２）。具体的には、例えば、スキャントゥボックス（Scan to Box）や、プリントトゥボックス（Print to Box）のジョブの実行の指示があるかどうかを判断する。スキャントゥボックス（Scan to Box）とは、原稿をスキャンして取得した画像データ（文書データ）をボックスに保存するジョブである。プリントトゥボックス（Print to Box）とは、画像データ（文書データ）を取得してプリント処理するとともに、当該取得した画像データをボックスに保存するジョブである。なお、ジョブはこれに限られず、ボックス保存する要求が含まれているジョブであればどのようなものでも良い。
【００３９】
文書データのボックス保存の要求があると判断した場合（ステップＳ２においてＹＥＳ）には、次に、ログイン管理ＤＢからログイン情報を取得する（ステップＳ４）。具体的には、図３で説明したログイン管理ＤＢの情報を取得する。
【００４０】
次に、外部端末がログイン中であるかどうかを判断する（ステップＳ６）。画像形成装置１０の操作パネル以外から認証処理を実行したユーザーについては外部端末からアクセスしてログインしていると判断することが可能である。また、複数のユーザーが登録されている場合には、リモートで外部からアクセスしている場合と想定されるため外部端末がログイン中であると判断することも可能である。
【００４１】
ステップＳ６において外部端末がログイン中であると判断した場合（ステップＳ６においてＹＥＳ）には、次に、外部端末のユーザーは、ジョブ実行したユーザーと同じであるかどうかを判断する（ステップＳ７）。具体的には、画像形成装置１０において、ボックス保存が含まれているジョブの実行を指示したユーザーが外部端末のログイン中のユーザーと同じであるかどうかを判断する。なお、当該ジョブには、ジョブの実行を指示したユーザー名が含まれるものとする。
【００４２】
ステップＳ７において、外部端末のユーザーは、ジョブ実行したユーザーと同じであると判断した場合（ステップＳ７においてＹＥＳ）には、非圧縮でボックスに保存する（ステップＳ８）。ボックス処理部３６は、取得した画像データを圧縮することなくボックス２２に保存する。
【００４３】
一方、ステップＳ７において、外部端末のユーザーは、ジョブ実行したユーザーと同じでないと判断した場合（ステップＳ７においてＮＯ）には、圧縮でボックスに保存する（ステップＳ１０）。ボックス処理部３６は、取得した画像データを圧縮してボックス２２に保存する。
【００４４】
そして、処理を終了する（エンド）。
当該処理により、ボックス保存が含まれているジョブを実行する場合に、ジョブ実行したユーザーが外部端末のログイン中のユーザーと同じ場合には、非圧縮でボックスに保存する。従って、ボックス保存されたデータが非圧縮で保存されるため、外部端末のログイン中のユーザーからボックスにアクセスして、保存されたデータをダウンロードする際には、非圧縮で保存されているため解凍する必要が無く、ボックスに格納されたデータを外部端末へ送信する際のパフォーマンスを向上させることが可能である。
【００４５】
一方、ボックス保存が含まれているジョブを実行する場合に、ジョブ実行したユーザーが外部端末のログイン中のユーザーと同じでない場合には、圧縮でボックスに保存する。ジョブ実行したユーザーと、外部端末のログイン中のユーザーとが同じでないため、外部端末のログイン中のユーザーからボックスにすぐにアクセスして、保存されたデータをダウンロードする場合が想定し難いため圧縮で保存することによりボックス２２の空き容量の減少を抑制しながら効率的に保存することが可能である。
【００４６】
（変形例２）
図６は、本発明の実施の形態の変形例２に従うボックス保存の指示に対する処理について説明するフロー図である。
【００４７】
図６を参照して、まず、文書データのボックス保存の要求があるかどうかを判断する（ステップＳ２）。具体的には、例えば、スキャントゥボックス（Scan to Box）や、プリントトゥボックス（Print to Box）のジョブの実行の指示があるかどうかを判断する。スキャントゥボックス（Scan to Box）とは、原稿をスキャンして取得した画像データ（文書データ）をボックスに保存するジョブである。プリントトゥボックス（Print to Box）とは、画像データ（文書データ）を取得してプリント処理するとともに、当該取得した画像データをボックスに保存するジョブである。なお、ジョブはこれに限られず、ボックス保存する要求が含まれているジョブであればどのようなものでも良い。
【００４８】
文書データのボックス保存の要求があると判断した場合（ステップＳ２においてＹＥＳ）には、次に、ログイン管理ＤＢからログイン情報を取得する（ステップＳ４）。具体的には、図３で説明したログイン管理ＤＢの情報を取得する。
【００４９】
次に、外部端末がログイン中であるかどうかを判断する（ステップＳ６）。画像形成装置１０の操作パネル以外から認証処理を実行したユーザーについては外部端末からアクセスしてログインしていると判断することが可能である。また、複数のユーザーが登録されている場合には、リモートで外部からアクセスしている場合と想定されるため外部端末がログイン中であると判断することも可能である。
【００５０】
ステップＳ６において外部端末がログイン中であると判断した場合（ステップＳ６においてＹＥＳ）には、次に、外部端末のユーザーは、ボックス保存が指示されたボックスの所有者と同じであるかどうかを判断する（ステップＳ９）。具体的には、画像形成装置１０において、ボックス保存が指示されたボックスの領域の所有者が外部端末のログイン中のユーザーと同じであるかどうかを判断する。なお、当該ジョブには、保存するボックスの領域の場所に対する指示も含まれるものとする。当該場所を確認して、当該領域の所有者と外部端末のログイン中のユーザーとが同じであるかどうかを判断する。また、ユーザー毎にボックスの保存領域が設定されているものとする。
【００５１】
ステップＳ９において、外部端末のユーザーは、ボックス保存が指示されたボックスの所有者と同じであると判断した場合（ステップＳ９においてＹＥＳ）には、非圧縮でボックスに保存する（ステップＳ８）。
【００５２】
一方、ステップＳ９において、外部端末のユーザーは、ボックス保存が指示されたボックスの所有者と同じでないと判断した場合（ステップＳ９においてＮＯ）には、圧縮でボックスに保存する（ステップＳ１０）。
【００５３】
そして、処理を終了する（エンド）。
当該処理により、ボックス保存が含まれているジョブを実行する場合に、ボックス保存が指示されたボックスの所有者が外部端末のログイン中のユーザーと同じ場合には、非圧縮でボックスに保存する。従って、ボックス保存されたデータが非圧縮で保存されるため、外部端末のログイン中のユーザーからボックスにアクセスして、保存されたデータをダウンロードする際には、非圧縮で保存されているため解凍する必要が無く、ボックスに格納されたデータを外部端末へ送信する際のパフォーマンスを向上させることが可能である。
【００５４】
一方、ボックス保存が含まれているジョブを実行する場合に、ボックス保存が指示されたボックスの所有者が外部端末のログイン中のユーザーと同じでない場合には、圧縮でボックスに保存する。ジョブ実行したユーザーと、外部端末のログイン中のユーザーとが同じでないため、外部端末のログイン中のユーザーからボックスにすぐにアクセスして、保存されたデータをダウンロードする場合が想定し難いため圧縮で保存することによりボックス２２の空き容量の減少を抑制しながら効率的に保存することが可能である。
【００５５】
なお、本発明にかかる画像形成装置は、ＭＦＰに限られず、プリンター装置あるいはファクシミリ装置等であってもよい。
【００５６】
なお、コンピュータを機能させて上述のフローで説明したような制御を実行させるプログラムを提供することも可能である。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。このような記憶媒体としては、フラッシュメモリ、マスクＲＯＭ、ＥＰＲＯＭ（Electronically Programmable Read-Only Memory）、ＥＥＰＲＯＭ（Electronically Erasable Programmable Read-Only Memory）、ＩＣ（Integrated Circuit）カードなどの半導体記憶媒体、ＣＤ−ＲＯＭ（Compact Disc-Read Only Memory）やＤＶＤ−ＲＯＭ（Digital Versatile Disk-Read Only Memory）などの光学ディスク記憶媒体、ＭＯ（Magnetic Optical Disc）やＭＤ（Mini Disc）などの光磁気ディスク記憶媒体、ＦＤ（Flexible Disk）、磁気テープ、カセットテープなどの磁気記憶媒体を用いることができる。
【００５７】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００５８】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００５９】
提供されるプログラム製品は、ハードディスクなどのプログラム格納部にインストールされて実行される。なお、プログラム製品は、プログラム自体と、プログラムが記録された記録媒体とを含む。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６１】
１０  画像形成装置、１２  入力部、１４  全体制御部、１６  認証部、１８  通信制御部、２２  ボックス、３０  機能部、３２  コピー処理部、３４  ファックス処理部、３６  ボックス処理部、４０  ネットワーク、５０  外部端末、１０２  ＣＰＵ、１０４  ＲＯＭ、１０６  ＲＡＭ、１１０  記憶部、１３０  プリンター、１４０  スキャナー、１６０  操作パネル。
【図１】
2013150241.tif 000003
【図２】
2013150241.tif 000004
【図３】
2013150241.tif 000005
【図４】
2013150241.tif 000006
【図５】
2013150241.tif 000007
【図６】
2013150241.tif 000008